(57)【要約】      （修正有）【課題】値札の取り付けおよび取り外し作業が容易なコンテナを提供する。【解決手段】コンテナ１０は、矩形の底壁１２と、底壁１２の短辺側から上方に連続する２つ側壁１４と、長辺側から上方に連続する２つの側壁１６と、側壁１６から外側に張り出す縦補強壁１８と、側壁１４、１６から外側に張り出す横補強壁２０、２２を備え、縦補強壁１８には横方向に貫通する孔３０が設けられている。値札４０は孔３０に挿し入れるだけでコンテナ１０に取り付けることができ、値札４０の取り付けおよび取り外しが極めて容易である。【選択図】図２
0003152965.tif 000002
【実用新案登録請求の範囲】
【請求項１】
底壁と、前記底壁の外周辺と連続する側壁と、前記側壁の外側に張り出す横補強壁と縦補強壁を備え、前記縦補強壁に横方向に貫通する孔または切り込みが設けられていることを特徴とするコンテナ。
【請求項２】
前記縦補強壁が横方向に距離をおいて配された複数の縦補強壁からなり、少なくとも隣り合う２つの縦補強壁の前記孔または切り込みが同じ高さに設けられていることを特徴とする請求項１に記載のコンテナ。
【請求項３】
前記横補強壁に縦方向に貫通する孔が設けられていることを特徴とする請求項１または２に記載のコンテナ。
【請求項４】
前記横補強壁が縦方向に距離をおいて配された複数の横補強壁からなり、少なくとも上から２つの横補強壁の前記孔が横方向において同じ位置に設けられていることを特徴とする請求項３に記載のコンテナ。
【考案の詳細な説明】
【技術分野】
【０００１】
本考案は、野菜や果物などの運搬に用いるコンテナに関する。
【背景技術】
【０００２】
コンテナは野菜や果物などの食品を生産地から小売店などに運搬する際に広く用いられてるが、小売店の中にはコンテナをそのまま店頭に並べ、収納されている野菜や果物などを客が直に取り出して購入できるようにしているところも多い。
【０００３】
コンテナを店頭に並べる場合、値札をどこに取り付けるかという問題がある。通常、コンテナには野菜や果物などの商品が隙間なく詰め込まれているため、コンテナの内側に値札を取り付けるのは難しい。無理に取り付けようとすると商品に傷をつけることにもなりかねない。うまく取り付けたとしても客が商品を選ぶときの邪魔になりがちである。コンテナの脇に値札を立てることも考えられるが、たくさんのコンテナが並んでいる場合に値札がどの商品のものなのか判別し難いという問題がある。またコンテナを移動させるときに値札も一緒に移動させなければならず煩雑である。コンテナの側壁に紐や番線などを用いて縛り付けることもできるが、コンテナは様々な商品の運搬に用いられるため、その都度結び目を緩めて値札を付け替えるという煩雑な作業が必要となる。
【０００４】
これらの内容を開示する先行技術文献は発見できなかった。
【考案の概要】
【考案が解決しようとする課題】
【０００５】
本考案は、値札の取り付けおよび取り外し作業を容易にしたコンテナを提供することを目的とする。
【課題を解決するための手段】
【０００６】
本考案は、底壁と、前記底壁の外周辺と連続する側壁と、前記側壁の外側に張り出す横補強壁と縦補強壁を備え、前記縦補強壁に横方向に貫通する孔または切り込みが設けられていることを特徴とするコンテナとして構成されている。値札は縦補強壁の孔または切り込みに挿し込むだけでコンテナに取り付けることができるため、値札の取り付けおよび取り外し作業に煩雑さがなく極めて簡単である。
【０００７】
コンテナは、側壁の商品を収納する側を内側とし、この反対側を外側としている。横補強壁はコンテナの底壁と平行な関係にある補強壁であり、縦補強壁は底壁と直交する関係にある補強壁である。
【０００８】
本考案は、前記縦補強壁が横方向に距離をおいて配された複数の縦補強壁からなり、少なくとも隣り合う２つの縦補強壁の前記孔または切り込みが同じ高さに設けられていることを特徴とするコンテナ
として構成することもできる。値札は２つの縦補強壁の孔または切り込みによって２点で支持されることになり、位置や向きが安定する。
【０００９】
本考案は、前記横補強壁に縦方向に貫通する孔が設けられていることを特徴とするコンテナとして構成することもできる。この孔には一端に値札を取り付けた棒状体の他端を挿入する。値札の高さは棒状体の長さ等によって任意に定めることができるため、客はより目線に近い高さで値札を確認することができる。
【００１０】
本考案は、前記横補強壁が縦方向に距離をおいて配された複数の横補強壁からなり、少なくとも上から２つの横補強壁の前記孔が横方向において同じ位置に設けられていることを特徴とするコンテナとして構成することもできる。棒状体を２つの孔に挿入することで上下の２点で支持されることになり、値札の位置や傾きが安定する。
【考案の効果】
【００１１】
本考案のコンテナには値札を抜き挿しするための孔または切り込みが設けられているため、値札の取り付けおよび取り外し作業が極めて容易である。
【図面の簡単な説明】
【００１２】
【図１】本考案の実施の形態のコンテナの斜視図
【図２】本考案の実施の形態のコンテナに値札を取り付けた状態の斜視図
【図３】本考案の実施の形態のコンテナに値札を取り付けた状態の斜視図
【図４】本考案の他の実施の形態のコンテナの斜視図
【図５】本考案の他の実施の形態のコンテナに値札を取り付けた状態の斜視図
【考案を実施するための形態】
【００１３】
図１に本考案の実施の形態のコンテナの構造を示す。コンテナ１０は、矩形の底壁１２と、底壁１２の短辺側から上方に連続する２つ側壁１４と、長辺側から上方に連続する２つの側壁１６で構成されている。４つの側壁１４、１６と底壁１２は切れ目なく連続している。コンテナ１０は底壁１２と４つの側壁１４、１６の内側に形成される空間に野菜や果物などの農作物や商品を収納する。
【００１４】
側壁１４、１６にはリブ（補強壁）が形成されている。リブは広い開口部を有するコンテナ１０の剛性を高めるものであり、コンテナ１０の高さ方向に伸びる縦補強壁１８と、幅および奥行き方向に伸びる横補強壁２０、２２が交差する形状となっている。縦補強壁１８は側壁１４と側壁１６が連続する角部と側壁１６の外壁面に横方向に適当な距離をおいて形成されている。横補強壁２０は側壁１４、１６の上辺から外側に張り出すように形成され、横補強壁２２は横補強壁２０の下方に適当な距離をおいて側壁１４、１６の外壁面から外側に張り出すように形成されている。
【００１５】
側壁１４、１６にはコンテナ１０を持ち運ぶ際の持ち手となる開口部２４が形成されている。また、側壁１４、１６と底壁１２には、コンテナ１０に収納した野菜や果物などの農産物の鮮度を保つためのスリット状の通気孔（図示せず）が設けられている。
【００１６】
横補強壁２０には縦方向に貫通する４つの孔２６が側壁１６の両端近くに形成されている。横補強壁２２にも４つの孔２８が縦方向に貫通して形成されている。孔２６と孔２８は横方向において同じ位置にあり、縦方向において連通している。
【００１７】
側壁１６の外壁面の縦補強壁１８には横方向に貫通する孔３０が形成されている。孔３０は縦方向に長い略矩形状であり、隣り合う縦補強壁１８に同じ高さとなるように形成されている。
【００１８】
図２にコンテナ１０に値札を取り付けた例を示す。値札４０は隣り合う縦補強壁１８の２つの孔３０に挿入されている。値札４０は横方向において距離をおいた２点で水平に支持されているため、簡単には位置がずれたり傾いたりすることはなく、非常に安定した状態となっている。客は側壁１６に取り付けられた値札４０によってコンテナ１０に収納されている商品の値段を確認することができる。値札４０は２つの孔３０に挿入しているだけなので取り付けおよび取り外しともに極めて容易である。
【００１９】
図３にコンテナ１０に値札を取り付けた他の例を示す。値札５０は２本の棒状体５２によって支持されている。２本の棒状体５２はそれぞれ孔２６、２８に挿入されている。孔２６、２８は縦方向において連通しているため、棒状体５２は略鉛直方向に起立した姿勢になっている。棒状体５２は横補強壁２０、２２によって２点で支持されるため、容易に傾いたりすることはなく、値札５０の向きや位置が安定する。客はコンテナ１０の上部に取り付けられた値札５０によってコンテナ１０に収納されている商品の値段を確認する。値札５０は客の目線の高さに近い位置にあるため、客は値段を確認しやすい。値札５０の高さは棒状体５２に取り付けられたストッパ５４の位置で調整する。
【００２０】
図４に本考案の他の実施の形態のコンテナを示す。コンテナ６０の縦補強壁６８には横方向に貫通する切り込み７０が形成されている。切り込み７０は縦補強壁６８に斜め上方から切り込まれたような形状であり、コンテナ１０に形成されている孔３０のように周囲が閉じておらず、上部が開いている。切り込み７０によって分断された縦補強壁６８の小片部分７２は、作業者の怪我を防止するとともに破損しにくくするため、角が丸められている。
【００２１】
図５にコンテナ６０に値札を取り付けた例を示す。値札８０は隣り合う縦補強壁６８の２つの切り込み７０に挿入されている。値札４０を横方向に挿入しなければならないコンテナ１０とは異なり、上から切り込み７０に落としこむように値札８０を挿入することができるため、取り付けが極めて容易である。
【００２２】
コンテナ１０、６０を上下に重ねると、孔２６が塞がって横補強壁２０、２２には値札５０を取り付けることができなくなる。このような場合であっても縦補強壁１８、６８の孔３０と切り込み７０は塞がることはないので、値札４０、８０の取り付けが可能である。
【００２３】
コンテナ１０、６０は、収納空間の外側に張り出す横補強壁２０、２２と縦補強壁１８、６８に値札４０、５０、８０を取り付けることができるようになっているため、商品が隙間なく詰め込まれている場合であっても値札４０、５０、８０を簡単に取り付けることができる。コンテナ１０、６０の外側に取り付けられた値札４０、５０、８０は客の商品選びの邪魔になることはない。またコンテナ１０、６０の並べ替えや移動のときに値札４０、５０、８０を別途に移動させる必要はない。
【００２４】
コンテナ１０、６０に収納する商品は農産物のみならず、魚介類や肉類などの他の食品であってもよく、さらには食品以外の様々な商品であってもよい。また値札以外に、例えば生産地や生産者、セールスポイントなどの情報を記した札などを取り付けることもできる。
【００２５】
孔２６、２８、３０または切り込み７０の数および位置は前述したものに限定されないが、補強壁の強度に大きな影響を与えることになるため、剛性の確保と利便性の兼ね合いで適宜定めるべきである。
【符号の説明】
【００２６】
１０、６０  コンテナ
１２  底壁
１４、１６  側壁
１８、６８  縦補強壁
２０、２２  横補強壁
２６、２８、３０  孔
４０、５０、８０  値札
７０  切り込み
【図１】
0003152965.tif 000003
【図２】
0003152965.tif 000004
【図３】
0003152965.tif 000005
【図４】
0003152965.tif 000006
【図５】
0003152965.tif 000007